(57)【特許請求の範囲】
【請求項１】
直管形の照明ランプであって、
複数の発光ダイオードが配列された光源基板を備える半円筒型の本体部に、樋形状の透光カバーが固定されて前記照明ランプの直管の外観を構成し、
前記透光カバーは、
前記発光ダイオードの光を正面方向に配光する第１のパターンが設けられた底部領域と、
前記発光ダイオードの光を側面方向に配光する第２のパターンが設けられた側面領域とを備える
照明ランプ。
【請求項２】
複数の発光ダイオードが配列された光源基板と、前記光源基板を備えた本体部と、前記本体部に被せられる透光カバーを備えた照明ランプであって、
前記透光カバーは、長手方向に同一形状の縦断面を備え、
前記複数の発光ダイオードは、各発光ダイオードを含む前記縦断面における照射光パターンが同じであり、
前記透光カバーは底部領域及び両側面領域を備え、
前記底部領域においては、前記透光カバーの長手方向に平行な複数の凸面よりなり、前記発光ダイオードの光を正面方向に配光する第１のパターンが設けられ、
前記側面領域においては、前記透光カバーの長手方向に平行な複数の凸面よりなり、前記発光源の光を側面方向に配光する第２のパターンが設けられた、
照明ランプ。
【請求項３】
前記透光カバーは、両側端部に爪部を備えた、請求項２に記載の照明ランプ。
【請求項４】
前記本体部は、電源回路を内蔵してなる、請求項２に記載の照明ランプ。
【発明の詳細な説明】
【技術分野】
【０００１】
本発明は、発光ダイオード等の発光源を内装した照明ランプに関する。
【背景技術】
【０００２】
近時、発光ダイオードを発光源とした直管形照明ランプが開発、市販されている。しかしながら特に白色発光ダイオードはある程度対策されているものの、照射角に依存して黄味あるいは青味の色むらが生じる傾向がある。そのため従来は、発光源を配列させた基板に被せられる透光板に拡散剤を配合させるなどして、色むらを打ち消すようにしていた。たとえば、次の特許文献１には、透光性および拡散性を有する例えばアクリル樹脂などの樹脂材料によって透光カバーを形成することが記載されている。
【先行技術文献】
【特許文献】
【０００３】
【特許文献１】特開２０１２−００９３９８号公報
【発明の概要】
【発明が解決しようとする課題】
【０００４】
上記のような照明ランプの発光源として購入可能な発光ダイオードは、そのままでは１/２照射角が非常に狭いが、ダイに被せるレンズ体を工夫することによって１/２照射角が相当拡げられている。そして更に拡散性の透光カバー等を用いることによって、一般の室内天井照明の用途では従来の蛍光管の代替として利用できる配光特性になる。
【０００５】
しかしながら、そのような配光特性が与えられた照明ランプは、例えば暗い場所に展示された物品を際立たせるような照明には適さない。また室内照明であっても特定の範囲だけを明るく照らしたい場合もある。従来、そのような用途のために配光を制限するためには遮光フード等を用いていたが、そうするとコスト高になる、あるいは見栄えが悪くなるといった問題が生じていた。そこで本発明は、白色発光ダイオードを発光源とした場合でも、色むらを防止しつつ配光が調節できる新規な構成の照明ランプ用透光カバーを提供することを目的とする。
【課題を解決するための手段】
【０００６】
上記課題を解決するために、本発明は、直管形の照明ランプであって、複数の発光ダイオードが配列された光源基板を備える半円筒型の本体部に、樋形状の透光カバーが固定されて前記照明ランプの直管の外観を構成し、前記透光カバーは、前記発光ダイオードの光を正面方向に配光する第１のパターンが設けられた底部領域と、前記発光ダイオードの光を側面方向に配光する第２のパターンが設けられた側面領域とを備える。
【０００７】
また、上記課題を解決するために、本発明は、複数の発光ダイオードが配列された光源基板と、前記光源基板を備えた本体部と、前記本体部に被せられる透光カバーを備えた照明ランプであって、前記透光カバーは、長手方向に同一形状の縦断面を備え、前記複数の発光ダイオードは、各発光ダイオードを含む前記縦断面における照射光パターンが同じであり、前記透光カバーは底部領域及び両側面領域を備え、前記底部領域においては、前記透光カバーの長手方向に平行な複数の凸面よりなり、前記発光ダイオードの光を正面方向に配光する第１のパターンが設けられ、前記側面領域においては、前記透光カバーの長手方向に平行な複数の凸面よりなり、前記発光源の光を側面方向に配光する第２のパターンが設けられた照明ランプである。
【０００８】
前記透光カバーは、両側端部に爪部を備えてもよい。
【０００９】
前記本体部は、電源回路を内蔵してもよい。
【００１０】
本発明は、複数の発光源が直線的に配列された光源基板に被せられる照明ランプ用透光板において、透光素材で形成された樋形状の本体を備え、該本体はその長手方向に平行な複数の凸面よりなるレンズパターンを有してもよい。
【００１１】
前記レンズパターンは、前記樋形状の本体の外壁面に形成されていてもよい。
【００１２】
前記レンズパターンは、前記樋形状の本体の内壁面に形成されていてもよい。
【００１３】
前記レンズパターンは、前記樋形状の本体について底部領域および両側面領域で構成され、底部領域は前記発光源の光を正面方向に対して配光調節する一方、側面領域は前記発光源の光を側面方向に対して配光調節するようにしてもよい。
【００１４】
本発明による直管形ランプは、複数の発光源が直線的に配列された光源基板を備えた本体部に、前記照明ランプ用透光板を被せて構成される。
【００１５】
前記直管形照明ランプにおいて、前記発光源が白色発光ダイオードとされ、前記照明ランプ用透光カバーは無色透明な透光素材で形成されていてもよい。
【発明の効果】
【００１６】
本発明では、レンズパターンを構成する凸面のそれぞれによる屈折光同士が重なり合う効果が生じる。これによって、発光源を白色発光ダイオードとした場合でも色むらが抑えられる。またレンズパターンによる配光具合を、想定した照明ランプの設置条件に応じて自由に設定できるので、遮光フード等が不要となる。
【００１７】
レンズパターンの底部領域は前記発光源の光を正面方向に対して配光調節する一方、側面領域は前記発光源の光を側面方向に対して配光調節する構成では、暗い場所に展示された物品を際立たせるような照明が可能になる。
【００１８】
発光源が白色発光ダイオードとされ、照明ランプ用透光カバーは無色透明な透光素材で形成された直管形照明ランプでは、色むらが抑えられ、照度の向上も見込まれ、透明なレンズ面による独特な風合いも得られる。
【図面の簡単な説明】
【００１９】
【図１】本発明による照明ランプ用透光カバーの一実施例の斜視図である。
【図２】（ａ）、（ｂ）はいずれも照明ランプ用透光カバーの変形例を示す斜視図である。
【図３】レンズパターンを説明するための照明ランプ用透光カバーの縦断面図である。
【図４】配光特性を説明するための図である。
【図５】（ａ）本発明を適用した照明ランプの一実施例の斜視図、（ｂ）はその照明ランプの部分破断平面図である。
【図６】上記照明ランプの縦断面構造図である。
【発明を実施するための形態】
【００２０】
図１に示すように、本発明による照明ランプ用透光カバー１は、たとえばアクリルあるいはポリカーボネイト等の透光素材で形成された樋形状の本体１０を備える。本体１０は、その長手方向に平行な複数の凸面よりなるレンズパターン１１を有する。透光素材は、基本的に無色透明なものを想定しているが、各種着色剤あるいは酸化チタン等の拡散剤が配合されたものでもよい。
【００２１】
照明ランプ用透光カバー１は、両側端部のほぼ全長にわたって連続的に固定爪部１２が形成されている。この固定爪部１２は、照明ランプ２の本体部２１に形成された溝部２２（図６）に嵌め込んで固定される。このような固定方法とすれば、照明用透光カバー１が外力を受けても変形しにくくなり耐久性が向上する。
【００２２】
しかし固定爪部１２を用いず、たとえば図２（ａ）に示すように、本体１０の周囲に鍔部１３を形成して、その鍔部１３を照明ランプ２の本体部２１にネジ止めする構成でもよい。また樋形状の複数の本体１０を並行に連設して一体化させた構造も可能である。図２（ｂ）では２本を並設しているが、発光源３の個数に応じて適宜増減可能なことはいうまでもない。
【００２３】
レンズパターン１１を構成する凸面はいずれも基本的には円筒面の一部、つまりシリンドリカルレンズになっており、それらの縦断面の形状は長手方向のどの位置においても同一である。このような凸面は、長手方向に直交する面内で光を最も屈折させる。
【００２４】
レンズパターン１１は、この実施態様では樋形状の本体１０の外壁面に形成されているが、これに限定されず、本体１０の内壁面に形成されてもよい。ただし、照明ランプ用透光カバー１を金型成形する場合は、外壁面にレンズパターン１１を形成して内壁面を滑らかにした方が金型の構成がより簡単になる。
【００２５】
また照明ランプ用透光カバー１は、樋形状の本体１０を複数の領域に区分し、レンズパターン１１による配光具合を、その領域毎に異ならせてもよい。レンズパターン１１の領域構成や、凸面の個数等は特に限定されず、想定された照明ランプ２の設置条件に応じて自由に設定できる。
【００２６】
図３はその具体例であり、レンズパターン１１は、前記樋形状の本体１０について底部領域１１ａおよび側面領域１１ｂで構成されている。ここにおいて底部領域１１ａは発光源３の照射光Ａを正面方向（床面）に対して配光調節するものであり、側面領域１１ｂは発光源３の照射光Ａを側面方向（壁面）に対して配光調節する。このようにすれば、照明ランプ２の直下方向を明るく照らすことで実用性を向上でき、かつ近傍の壁面、天井面にも明るさを与えることで明るさ感も演出できる。このような配光は、照明ランプ２が２．５ｍ〜３ｍ程度の天井面から直下の所定範囲を明るく照らす用途、たとえば暗い場所に展示された物品を際立たせるような照明に特に適する。
【００２７】
図４のグラフは、上記配光特性を具体的に説明するものである。すなわち水平に設置された照明ランプ２の長手方向に直交する垂直面をＸ−Ｙ平面として、規定された照射角を直線によって示し、等しい照度となる地点を等照度曲線によって結んでいる。なお従来品との比較のため、本発明を適用した照明ランプ２については実線を用い、従来品（レンズパターンがないタイプ）については破線を用いている。なお、等照度曲線は、照明ランプ２と従来品とで直下の各位置の照度が等しくなるように規格化されている。
【００２８】
一見して、等照度曲線は上下に長い略楕円形になっている。これは照明ランプ２の真下方向が最も明るく照らされ、その方向から外れるほど暗くなることを意味している。この照明ランプ２の等照度曲線は、従来品の等照度曲線よりも幅が狭い。これは、照明ランプ２が集光作用によって直下の所定範囲を明るくする一方、その範囲外は従来品よりも暗くすることを意味する。つまり直下の照度を等しくする場合、照明ランプ２が発する全光量は従来品の全光量よりも少なくてよいので、より省電力となる。また照明ランプ２の等照度曲線は、照明ランプ２の近傍では従来品よりも横に広がっている。これは照明ランプ２が真横方向を従来品よりも明るく照らすことを意味する。なお図中の（１）〜（５）は等照度曲線の照度レベルを示している。
【００２９】
レンズパターン１１は、共通の円筒面を長手方向に並行に複数の凸面に区分して平坦化させたものに限られず、凸面のそれぞれが独自の曲面（円筒面でも楕円筒面でもない曲面でもよい）で構成されてもよい。要は、照明ランプ２が対象範囲を重点的に照らすように、凸面のそれぞれの輪郭や傾きを自由に設定してよい。
【００３０】
また、配光調節を単独のレンズで行わず、複数の凸面よりなるレンズパターン１１で行うことにより、隣接した凸面による屈折光同士が重なり合う効果が生じる。これによって照明光の色むらが抑えられる。特に白色ダイオードの照射光Ａはダイからの照射方向に依存した色むらが生じやすいという問題があって、従来透光素材に拡散剤を配合することで対策していたが、上記のようなレンズパターン１１を備えた構成にすれば、透光素材に拡散剤を配合しなくても色むらが抑えられ、照度の向上も見込まれる。またレンズ面による独特な風合いも得られる。
【００３１】
図５（ａ）、（ｂ）および図６は、本発明による照明ランプ用透光カバー１を用いた直管形発光源内装ランプを例示する。この照明ランプ２は、従来の１１０Ｗ型蛍光管の代替とされるものであり、照明ランプ用透光カバー１の全長や幅（径）は、その蛍光管に揃えられる。しかしながら照明ランプ用透光カバー１は寸法を調節するだけで、他のサイズの直管形発光源内装ランプにも制限なく利用できる。
【００３２】
これらの図に示すように、照明ランプ２は、発光ダイオードよりなる複数の発光源３が直線的に配列された光源基板３１を備えた本体部２１に、上記照明ランプ用透光板を被せて構成されている。本体部２１は、半円筒型で、アルミ等の金属よりなり、その両端に口金部４が固定されている。それぞれの口金部４には電極部４１が設けられている。照明ランプ２は直流電源で駆動されるようにも、交流電源で駆動されるようにもできるが、後者の場合は、発光源３に直流電源を供給する電源回路（不図示）を本体部２１に内蔵させる必要がある。
【符号の説明】
【００３３】
１        照明ランプ用透光カバー
１０      本体
１１      レンズパターン
１１ａ    底部領域
１１ｂ    側面領域
２        照明ランプ
２１      本体部
３        発光源
３１      光源基板
【図１】
0006343700.tif 000002
【図２】
0006343700.tif 000003
【図３】
0006343700.tif 000004
【図４】
0006343700.tif 000005
【図５】
0006343700.tif 000006
【図６】
0006343700.tif 000007